(57)【要約】【課題】本発明は、トラッシュホルダーに外力が加わった場合でも、軸ピンなどが破損する前にトラッシュホルダーが軸ピンから離脱し、軸ピンやトラッシュホルダーが破損しないようにしたトラッシュホルダー支持構造を実現することを目的とする。【解決手段】車両用のコンソールボックス１０にコ字形枠状のトラッシュホルダー１１が支持手段１２により回動可能に支持されたトラッシュホルダー支持構造であって、前記トラッシュホルダー１１に外力が加わった場合、該トラッシュホルダー１１及び支持手段１２が破壊しないように前記トラッシュホルダー１１が支持手段１２より容易に離脱するように構成する。【選択図】　　　図３
2004066915.tif 000002
【特許請求の範囲】
【請求項１】
車両用のコンソールボックス（１０）にコ字形枠状のトラッシュホルダー（１１）が支持手段（１２）により回動可能に支持されたトラッシュホルダー支持構造であって、
前記トラッシュホルダー（１１）に外力が加わった場合、該トラッシュホルダー（１１）及び支持手段（１２）が破壊しないように前記トラッシュホルダー（１１）が支持手段（１２）より容易に離脱することを特徴とするトラッシュホルダー支持構造。
【請求項２】
車両用のコンソールボックス（１０）にコ字形枠状のトラッシュホルダー（１１）が支持手段（１２）により回動可能に支持されたトラッシュホルダー支持構造であって、
前記支持手段（１２）は円板状の座金部（１３）と、該座金部（１３）の一方の面に設けられた円柱形のピン部（１４）と、該ピン部（１４）の先端に設けられピン部に接する部分にＲが形成された円板状の頭部（１５）と、前記座金部（１３）の他方の面に設けられた二股状で且つ先端に鈎部（１６ａ）を有する固定部（１６）とが樹脂にて一体に形成され、
前記コンソールボックス（１０）には前記支持手段（１２）の固定部（１６）が挿入される孔（１９）が穿設され、該孔（１９）に前記支持手段（１２）が固定され、
前記トラッシュホルダー（１１）には、前記支持手段（１２）のピン部（１４）及び頭部（１５）が挿入される溝（２１）が形成されて、該溝（２１）が前記支持手段（１２）のピン部（１４）に係合して成ることを特徴とするトラッシュホルダー支持構造。
【請求項３】
前記支持手段（１２）の二股状部の内側はＶ字状に形成され、該Ｖ字状部にはくさび部材（１７）が挿入されることを特徴とする請求項１記載のトラッシュホルダー支持構造。
【発明の詳細な説明】
【０００１】
【発明の属する技術分野】
本発明はトラッシュホルダー支持構造に関する。詳しくは、車両に用いられるコンソールボックスに付属設置されるトラッシュホルダーを回動可能に、且つ外力が加わった場合には容易に離脱することができるトラッシュホルダー支持構造に関する。
【０００２】
【従来の技術】
従来の車両に用いられているゴミ収容方法としては、特開平１０−３１５８６４号や特開平１０−３３８０６９号に開示されたものがある。これらは、コンソールボックスの後部に引き出し可能な枠を設け、該枠にゴミ袋またはゴミ箱を取り付けるようにしたものである。また他の例として図５（ａ）に示すように、コンソールボックス１の後部に四角形状の枠２をヒンジピンで回動可能に設け、該枠２にゴミ袋またはゴミ箱を吊り下げるようにしたものがある。この場合、枠２は（ｂ）図の如く、軸受孔３が設けられたアーム４をむりに曲げて、コンソールボックス１の後部に設けられた軸ピン５に嵌合させて取り付けている。
【０００３】
【発明が解決しようとする課題】
上記のような従来のトラッシュホルダー支持構造では、コンソールボックスの後部側は通常後席の足元付近に位置することになっている。このため、後席で乗員が移動する際に足をトラッシュホルダーにぶつけて、該トラッシュホルダー又は軸ピンを破損させることがある。
【０００４】
本発明は、上記従来の問題点に鑑み、トラッシュホルダーに外力が加わった場合でも、軸ピンなどが破損する前にトラッシュホルダーが軸ピンから離脱し、軸ピンやトラッシュホルダーが破損しないようにしたトラッシュホルダー支持構造を実現することを目的とする。
【０００５】
【課題を解決するための手段】
上記目的を達成するため、本発明の請求項１は、車両用のコンソールボックス１０にコ字形枠状のトラッシュホルダー１１が支持手段１２により回動可能に支持されたトラッシュホルダー支持構造であって、前記トラッシュホルダー１１に外力が加わった場合、該トラッシュホルダー１１及び支持手段１２が破壊しないように前記トラッシュホルダー１１が支持手段１２より容易に離脱することを特徴とする。また、請求項２は、車両用のコンソールボックス１０にコ字形枠状のトラッシュホルダー１１が支持手段１２により回動可能に支持されたトラッシュホルダー支持構造であって、前記支持手段１２は円板状の座金部１３と、該座金部１３の一方の面に設けられた円柱形のピン部１４と、該ピン部１４の先端に設けられピン部に接する部分にＲが形成された円板状の頭部１５と、前記座金部１３の他方の面に設けられた二股状で且つ先端に鈎部１６ａを有する固定部１６とが樹脂にて一体に形成され、前記コンソールボックス１０には前記支持手段１２の固定部１６が挿入される孔１９が穿設され、該孔１９に前記支持手段１２が固定され、前記トラッシュホルダー１１には、前記支持手段１２のピン部１４及び頭部１５が挿入される溝２１が形成されて、該溝２１が前記支持手段１２のピン部１４に係合して成ることを特徴とする。また、請求項３は、前記支持手段１２の二股状部の内側はＶ字状に形成され、該Ｖ字状部にはくさび部材１８が挿入されることを特徴とする。
【０００６】
この構成を採ることにより、トラッシュホルダーに外力が加わった場合でも、支持手段などが破損する前にトラッシュホルダーが支持手段から離脱し、支持手段やトラッシュホルダーが破損しないようにしたトラッシュホルダー支持構造が得られる。
【０００７】
【発明の実施の形態】
図１は本発明のトラッシュホルダー支持構造の実施の形態を示す図であり、（ａ）は一部断面を示した平面図、（ｂ）は側面図である。本実施の形態は、同図に示すように、コンソールボックス１０の後部にコ字形のトラッシュホルダー１１が支持手段１２により回動可能に取り付けられている。
【０００８】
図２は前記支持手段及びくさび部材を示す図であり、（ａ）は支持手段の側面図、（ｂ）は支持手段の斜視図、（ｃ）はくさび部材の側面図、（ｄ）はくさび部材の斜視図である。そして、支持手段１２は（ａ）図及び（ｂ）図に示すように、円板状の座金部１３と、該座金部１３の一方の面に設けられた円柱形のピン部１４と、該ピン部１４の先端に設けられピン部に接する部分にＲが形成された円板状の頭部１５と、前記座金部１３の他方の面に設けられた二股状の固定部１６とが樹脂にて一体に形成されている。
【０００９】
なお、前記ピン部１４と頭部１５には２面１７が形成され、固定部１６の二股部の外側には鈎部１６ａが、内側には凹部１６ｂが形成されている。
また、くさび部材１８は、（ｃ）及び（ｄ）図に示すように、前記支持手段の固定部１６の二股の内側形状と同じ形状に形成され、前記二股部の凹部１６ｂに係合する突起１８ａを有している。
【００１０】
このように形成された支持手段は図３に示すようにコンソールボックス１０に取付けられてトラッシュホルダーを支持する。即ち、コンソールボックス１０には（ａ）図の如く、支持手段１２の固定部１６が挿入される孔１８が穿設され、トラッシュホルダー１１には（ｂ）図の如く、支持手段１２のピン部１４と頭部１５が挿入される溝２１が形成されている。なお、該溝２１は（ｂ）（ｃ）図に示すように、断面はＴ字状をなし、奥行きは、入り口が広く、先に行く程狭くなり、突き当たり近傍には支持手段１２のピン部１４とほぼ同じ径の孔２０となっている。
【００１１】
このように形成された各部材は、図３（ａ）の如く、コンソールボックス１０に設けられた孔１９に支持手段１２の固定部１６が挿入され、鈎部１６ａが係合する。また、二股部にはくさび部材１８が挿入され、鈎部の係合が外れないように固定している。また、支持手段１２のピン部１４及び頭部１５にはトラッシュホルダー１１に形成されている溝２１の孔２０にピン部１４が位置するようにして嵌合される。
【００１２】
このように構成された本実施の形態は、トラッシュホルダー１１がコンソールボックス１０に対して回動可能であり、図示なき機構により水平に保持できるようになっており、該トラッシュホルダー１１にゴミ袋又はゴミ箱を吊り下げることができるようになっている。
【００１３】
そして、若しトラッシュホルダー１１に外力が加わった場合、例えば図４の如く、右方向から外力Ｐが加わると、トラッシュホルダー１１の右側のアームは、その溝２１に係合している支持手段１２のピン部１４が、該溝２１を押し開くため、溝２１はピン部１４から脱出する。またトラッシュホルダー１１の左側のアームの溝２１に係合している支持手段１２のピン部１４は、その頭部１５が、そのＲにより溝２１を押し開いて該溝２１から脱出する。
【００１４】
このようにして、トラッシュホルダー１１に外力が加わった場合は何れの部材も破壊することなくトラッシュホルダー１１はコンソールボックス１０から離脱する。なお、この場合、支持手段１２は固定部１６の二股部にくさび部材１８が挿入されているためコンソールボックス１０から離脱することはない。
【００１５】
【発明の効果】
本発明のトラッシュホルダー支持構造に依れば、コンソールボックスに支持手段を設け、該支持手段にトラッシュホルダーを回動可能に、且つ離脱可能に支持したことにより、トラッシュホルダーに外力が加わった場合、トラッシュホルダーは容易にコンソールボックスから離脱することができ、何れの部材も破損するようなことはない。
【図面の簡単な説明】
【図１】本発明のトラッシュホルダー支持構造の実施の形態を示す図で、（ａ）は一部断面を示した平面図、（ｂ）は側面図である。
【図２】本発明のトラッシュホルダー支持構造の実施の形態における支持手段及びくさび部材を示す図で、（ａ）は支持手段の平面図、（ｂ）は支持手段の斜視図、（ｃ）はくさび部材の平面図、（ｄ）はくさび部材の斜視図である。
【図３】図１のＡ部拡大図で、（ａ）は断面図、（ｂ）は（ａ）図のＺ矢視図、（ｃ）は（ｂ）図のｃ−ｃ線における断面図である。
【図４】本発明のトラッシュホルダー支持構造の実施の形態の作用を説明するための図である。
【図５】従来のトラッシュホルダー支持構造１例を示す図である。
【符号の説明】
１０…コンソールボックス
１１…トラッシュホルダー
１２…支持手段
１３…座金部
１４…ピン部
１５…頭部
１６…固定部
１７…２面
１８…くさび部材
１９，２０…孔
２１…溝
【図１】
2004066915.tif 000003
【図２】
2004066915.tif 000004
【図３】
2004066915.tif 000005
【図４】
2004066915.tif 000006
【図５】
2004066915.tif 000007